(57)【特許請求の範囲】
【請求項１】
捻回操作する操作部と、この操作部から背面側に向かって連設されたフランジ部及びネジ部を備えた操作スイッチの操作部本体を、取付パネルの円形の取付孔にその表面側から挿入し、前記取付パネルの裏面側から前記ネジ部にロックナットを螺合して締結することにより、前記フランジ部と前記ロックナットとで前記取付パネルを表裏両面から挟み付けて取り付けられる操作スイッチの回り止め構造であって、
前記操作部本体に、前記ネジ部を断ち切って軸心方向に延びる縦溝を形成し、前記取付孔の孔縁部に切欠きを形成し、
挿通孔に前記ネジ部を挿通させて前記フランジ部と前記取付パネルの表面側との間に介設されるリング状の回り止め部材を備え、
前記回り止め部材は、前記挿通孔の孔縁部から内方に突出して前記縦溝に嵌り込む係止部と、
前記挿通孔の孔縁部から側方に突出して前記切欠きに嵌り込む係止突起と、
該回り止め部材の周縁部に沿って一体的に設けられて少なくとも前記取付パネルに押し付けられる防水用シール部材と、
を備えていることを特徴とする操作スイッチの回り止め構造。
【請求項２】
前記回り止め部材の周縁部に沿って環状溝が形成され、前記シール部材が、嵌合、インサート成形、貼着または塗布のいずれかの手段により前記環状溝に一体的に設けられている請求項１記載の操作スイッチの回り止め構造。
【請求項３】
前記シール部材が前記回り止め部材の両面に接合して周縁部に一体的に設けられている請求項１記載の操作スイッチの回り止め構造。
【請求項４】
前記回り止め部材の周縁部に前記銘板取付部を一体形成し、前記銘板取付部の基台に前記銘板配設用凹所を形成し、前記凹所の対向する１組の側壁に前記銘板係止部を形成するとともに前記凹所底面部に前記銘板を前面側に押圧する押圧片を形成した請求項１記載の操作スイッチの回り止め構造。
【請求項５】
前記フランジ部と前記回り止め部材との間にさらに防水パッキンを備えた請求項１記載の操作スイッチの回り止め構造。
【請求項６】
前記操作スイッチが、操作対象となるシステムを前記操作部により停止操作できるところの操作スイッチであって、前記ロックナットの緩みにより前記係止突起が前記切欠きから抜脱したときに前記取付パネルの表面側から背面側に前記操作部を押し込むことにより前記係止突起を前記切欠きに嵌入させ、前記操作部を押し込んだままでの操作によって前記システムを停止できるように構成してある請求項１〜５の何れかに記載の操作スイッチの回り止め構造。
【発明の詳細な説明】
【０００１】
【発明の属する技術分野】
本発明は、捻回操作により機能を選択するセレクタスイッチや押圧操作によりオン状態にロックされ、且つ捻回操作によりロック解除されるプッシュロックターンリセットスイッチなどの捻回操作を必要とする操作スイッチにおける回り止め構造に関するものである。
【０００２】
【従来の技術】
一般に、各種の操作スイッチは、操作部本体を取付パネルの取付孔にその表面側から挿入してフランジ部を取付パネルの表面に当接させるとともに、取付パネルの裏面側から操作部本体のネジ部にロックナットを螺合させて締結することにより、フランジ部とロックナットとで取付パネルを挟み付ける状態で取り付けられる。したがって、操作部本体におけるネジ部の形成された円筒状の胴体部を挿通させる取付パネルの取付孔は必然的に円形となる。そのため、捻回操作を必要とする操作スイッチの取り付けに際しては、操作部本体を取付パネルに対し回り止めする必要がある。この回り止め構造としては、フランジ部の裏面に下方に突出する突起を設けるとともに、取付パネルに突起が嵌入する固定孔を形成した構成が従来から知られている。
また、操作スイッチを取付パネルに取付たのち、操作スイッチ近傍に記銘シールを設け、操作スイッチの内容を表示する場合が多かった。
【０００３】
ところが、上述のような回り止め構造では、突起を設けるためのスペースを必要とすることからフランジ部の形状が大きくなり、使用上およびデザイン上の節約がある。また、取付パネルには取付孔と固定孔とを設ける必要があり、取付パネルの加工が面倒で時間がかかるという欠点がある。そこで、突起や固定孔を不要とした図１０に示すような回り止め構造が提案されている（実公平６−１２５７５号公報参照）。
【０００４】
上記の回り止め構造は、円筒状の操作部本体１にネジ部２を断ち切るように操作部本体１の軸心に沿って形成された２条（１条のみ図示）の縦溝３と、取付パネル７の円形の取付孔８の一部孔縁部に形成された切欠き９と、座金１０とにより構成されている。座金１０は、ネジ部２を挿通させることのできる内径の丸孔を有するリング状であって、丸孔の縁部から縦溝３に嵌合する二個の切り起こし１１と、切欠き９に嵌合する１個の切り起こし１２とが突設されている。なお、操作スイッチは、操作部本体１の一端部に操作部１４が回転自在に装着され、且つ操作部本体１の他端部にスイッチユニット１３が連結されている。
【０００５】
上記操作スイッチを取付パネル７に取り付けるに際しては、先ず、操作部本体１を、スイッチユニット１３を外し、且つ防水パッキン１７を挿入して取り付けた状態で取付パネル７の表面側（図の左側）から取付孔８に挿入し、フランジ部４を取付パネル７の表面に押し付ける。つぎに、座金１０を、その２個の切り起こし１１を縦溝３に嵌入するよう位置決めして取付パネル７の裏面側から操作部本体１に挿入するとともに、切り起こし１２を取付パネル７の切欠き９に嵌合させ、その状態を保持しながらロックナット１８をネジ部２に螺合して締結する。それにより、切り起こし１１と縦溝３との嵌合によって操作部本体１が座金１０に軸心回りの方向に対し一体化され、この座金１０は、切り起こし１２と切欠き９との嵌合によって取付パネル７に固定されるから、操作部本体１は、座金１０を介して取付パネル７に回転を規制され、回り止めされる。
そして、取付パネル７に設けられた操作スイッチ近傍に記銘シール６１が設けられる。
【０００６】
【発明が解決しようとする課題】
しかしながら、上記の回り止め構造は、操作機能面、取付作業性および規格面の何れにおいても問題がある。すなわち、機能上において、ロックナット１８が振動や衝撃を受けて緩むと、切り起こし１２が切欠き８から抜脱してしまい、回り止め機能が喪失する。ここで、回り止め用部材としての座金１０は取付パネル７の裏面側に存在するため、取付パネルの表面側においては、操作部１４を引っ張りながら、または押しながら捻回操作しても、空回りするだけである。この回り止め機能の回復は、取付パネル７の裏面側に回ってロックナット１８を締め直すことにより行うことになるので、時間がかかり過ぎる。これに対し、回り止め機能の喪失は通常不測に発生するから緊急にシステムの作動を停止する必要がある場合などでは、取付パネル７の表面側において操作部１４の捻回操作が不能であることから、応急的に即座に対応することができない問題がある。
【０００７】
また、取付作業性においては、操作部本体１を取付パネル７の表面側から取付孔８に挿入したのちに、取付パネル７の裏面側から座金１０の取り付けとロックナット１８の締め付けとを行うが、取付パネル７の裏面側は一般に多くの配線が施してあって狭くて窮屈なため、作業性が悪い。しかも、その作業性の悪い取付パネル７の裏面側において、座金１０を切り起こし１２が上方に位置する状態で切り起こし１１を縦溝３に合わせて操作部本体１に挿通し、その状態で座金１０を操作部本体１と一体に回しながら切り起こし１２を取パネル７の切欠き８に位置決めして嵌入させる困難な作業を行わなければならない。その上、座金１０の操作部本体１への挿通に先立って、操作部本体１が正規の向きになっているか否かを取付パネル７の表裏の両面側で確認しあう必要がある。さらに、座金１０を操作部本体１に挿通させただけでは仮止めにならないので、ロックナット１８を締結する以前に、切り起こし１２が切欠き９から抜脱して操作部本体１が位置ずれしてしまうことがあり、再び切り起こし１２を切欠き９に位置合わせてして挿入し直さなければならない。このように、上記の回り止め構造を備えた操作スイッチは極めて作業性が悪い。
【０００８】
さらに、部材の固定に際しては、摩擦手段のみでは不十分であって、機械的構成により止めるよう要望されているが、上記の回り止め構造では、座金１０が摩擦によって止まっているロックナット１８のみに依存して固定されており、その座金が固定されることによって回り止めが機能するので、機能が十分であるとは言いがたい。
【０００９】
また、操作スイッチでは、取付パネルに操作スイッチを取付けたのち、操作スイッチの内容を表示した記銘シールを操作スイッチ近傍に設ける場合が多く、表示間違いによるやり直し等により作業が煩わしいものとなる。
【００１０】
そこで本発明は、ロックナットが緩んだ場合にも回り止め機能を簡単に回復することができ、取付パネルの裏面側における困難な取付手段を解消して取付作業性を格段に向上させ、ロックナットのみに依存せずに機械的に回り止め機能を得られるとともに記銘シールの配設作業を簡単にすることができる操作スイッチの回り止め構造を提供することを目的とするものである。
【００１１】
【課題を解決するための手段】
上記目的を達成するために、本発明の操作スイッチの回り止め構造は、捻回操作する操作部と、この操作部から背面側に向かって連設されたフランジ部及びネジ部を備えた操作スイッチの操作部本体を、取付パネルの円形の取付孔にその表面側から挿入し、前記取付パネルの裏面側から前記ネジ部にロックナットを螺合して締結することにより、前記フランジ部と前記ロックナットとで前記取付パネルを表裏両面から挟み付けて取り付けられる操作スイッチの回り止め構造であって、前記操作部本体に、前記ネジ部を断ち切って軸心方向に延びる縦溝を形成し、前記取付孔の孔縁部に切欠きを形成し、挿通孔に前記ネジ部を挿通させて前記フランジ部と前記取付パネルの表面側との間に介設されるリング状の回り止め部材を備え、前記回り止め部材は、前記挿通孔の孔縁部から内方に突出して前記縦溝に嵌り込む係止部と、前記挿通孔の孔縁部から側方に突出して前記切欠きに嵌り込む係止突起と、該回り止め部材の周縁部に沿って一体的に設けられて少なくとも前記取付パネルに押し付けられる防水用シール部材と、を備えている。
【００１２】
この操作スイッチの回り止め構造では、回り止め部材を、その係止突部を縦溝に嵌入させて操作部本体のネジ部に取り付けた状態で、操作部本体を取付パネルの表面側から取付孔に挿入して係止突起を切欠きに嵌入すると、操作部本体が回り止め部材を介して取付パネルに回り止めされる。取付パネルの裏面からはロックナットを螺合して締結するだけでよい。従って、取付作業性が格段に向上する。また、機能面においては、ロックナットが緩んで係合突起が切欠きから抜脱しても、取付パネルの表面側において、操作部を背面側に押して係止突起を切欠きに嵌入すれば、即座に回り止め機能が回復し、操作部を押した状態のまま捻回操作することによって応急的に対応できる。このように、回り止め部材の固定は、ロックナットのみに依存していなく、操作部を背面側に押し付けることにより機械的に回り止めが機能する。
【００１３】
また、本発明の好ましい実施形態では、前記回り止め部材の周縁部に沿って環状溝が形成され、前記シール部材が、嵌合、インサート成形、貼着または塗布のいずれかの手段により前記環状溝に一体的に設けられており、それにより、シール部材を容易に且つ確実に回り止め部材に一体化して設けることができる。
【００１４】
さらに、本発明の他の好ましい実施形態では、前記シール部材が前記回り止め部材の両面に接合して周縁部に一体的に設けられており、それにより、回り止め部材とフランジ部との間に既存の防水パッキンを介設する必要がなくなり、その分だけ操作部の取付パネルからの取付高さを低くすることができる。
【００１５】
さらに、本発明の他の好ましい実施形態では、前記回り止め部材の周縁部に記名板取付部を一体形成し、前記記名板取付部の基台に記名板配設用凹所を形成し、前記凹所の対向する１組の側壁に記名板係止部を形成するとともに前記凹所底面部に前記記名板を前面側に押圧する押圧片を形成しており、回り止め部材に一体に記銘板取付部が形成されているため、回り止め部材を操作スイッチに配設すると同時に記銘板が配設され、配設操作が簡単に行うことがでる。
【００１６】
【発明の実施の形態】
以下、本発明の好ましい実施の形態について図面を参照しつつ説明する。
図１は、本発明の一実施の形態に係る回り止め構造を備えた操作スイッチの要部を切断して示した分解側面図である。同図において、図７と同一若しくは実質的に同等のものには、説明を簡略化して理解を容易にするために、同一の符号を付して重複する説明を省略し、以下に相違する構成について説明する。
【００１７】
回り止め部材２０は、図１の配置から明らかなように、取付パネル７の表面側（図の左側）において操作部本体１に取り付き、且つ取付パネル７に係合する形状になっている。図２（ａ）〜（ｃ）はそれぞれ回り止め部材２０の正面部、側面図および背面図をそれぞれ示す。図３は取付パネル７の正面図を示し、取付パネル７には、操作部本体１のネジ部２を挿通することのできる内径を有する円形の取付孔８と、この取付孔８の孔縁部の所定部位に形成された切欠き９とを有している。回り止め部材２０は、ネジ部２を挿通することのできる内径を有する円形の挿通孔２１を備えたリング形状になっており、挿通孔２１の径方向に対向する２か所の孔縁部から内方に突出された一対の係止突部２２，２３と、一方の係止突部２２から側方に突設された係止突起２４と、取付パネル７側の面において周縁に沿って形成された環状溝２７とが設けられている。両係止突部２２，２３は操作部本体１の縦溝３に嵌まり込むことのできる形状になっている。係止突起２４は取付パネル７の切欠き８に嵌まり込むことのできる形状になっている。環状溝２７の内部には防水用シール部材２８が設けられている。
【００１８】
図４は取付パネル７に取り付けた状態の操作スイッチの平面図、図５は操作スイッチの回り止め構造を示す拡大縦断面図をそれぞれ示し、図４において、スイッチユニット１３は省略してある。次に、上記回り止め構造を備えた操作スイッチの取付パネル７への取付手順について説明する。先ず、防水パッキン１７および回り止め部材２０を操作部本体１に取り付ける。回り止め部材２０は、両係止突部２２，２３を縦溝２に位置決めして嵌入させながら操作部本体１のネジ部２を挿通させて取り付ける。この回り止め部材２０の操作部本体１への取り付け作業は、取付パネル７の表面側において行うので、容易に位置決めして行える。
【００１９】
続いて、防水パッキン１７および回り止め部材２０を取り付けた操作部本体１を取付パネル７の取付孔８に挿入して、係止突起２４を取付パネル７の切欠き９に嵌入する。この係止突起２４の切欠き９への位置決めは、取付パネル７の表面側において容易に行える。フランジ部４を取付パネル７の表面に接触させた状態で取付パネル７の裏面側からロックナット１８をネジ部２に螺合して締結すれば、操作部本体１の取付パネル７への取り付けが完了する。このように、作業性の悪い取付パネル７の裏面側で行う作業は、ロックナット１８の締め付けだけであるから、従来の回り止め構造に比較して取付作業性が格段に向上する。
【００２０】
上記の取付状態において、ロックナット１８が振動または衝撃により緩んだ場合、係止突起２４が切り欠き９から抜脱することがある。ここで、システムを緊急に停止させる必要が生じた場合、係止突起２４を切欠き９に位置決めして操作部１４を背面側に押し込めば、回り止め機能が回復し、その状態を保持しながら操作部１４を捻回操作できる。上記の係合突起２４の切欠き９への位置決めは、取付パネル７の表面側で行うので容易であり、回り止め機能を一時的であっても即座に回復させて緊急事態に応急的に対応できる。すなわち、回り止め部材２０の固定は、ロックナット１８のみに依存していなく、操作部１４を押し付けることにより機械的に回り止めが機能する。ロックナット１８の締め直しは、その後に行えばよい。
【００２１】
また、上記回り止め部材２０は取付パネル７の表面側に取り付けているが、回り止め部材２０自体にシール部材２８を一体的に備えているので、防水面においても何ら支障が生じない。回り止め部材２０は、回り止め機能を得られる硬さを有する素材、例えばポリアミド樹脂などで形成するのが好ましい。一方、シール部材２８としては、柔軟性つまり防水性を有する硬化性樹脂（例えばエラストマ）やゴムを用いるのが好ましく、このシール部材２８の回り止め部材２０への一体化に際しては、リング状のシール部材２８を回り止め部材２０の環状溝２７に嵌め込む、シール部材２８を回り止め部材２０にインサート成形する、シール部材２８を回り止め部材２０に貼着する、環状溝２７にシール剤を塗布または注入して硬化させる等の何れかの手段を用いることができる。
【００２２】
また、図６に示すように、シール部材２９を回り止め部材２０の周端に被せるようにして取り付けて、回り止め部材２０の周縁部の両面に接合する構成とすれば、既存の防水パッキン１７が不要となる。その場合、操作部１４の取付パネル７からの取付高さを防水パッキン１７を除外した分だけ低くすることができる。
【００２３】
図７は、本願発明の他の実施例であり、回り止め部材２０ａは、ネジ部２を挿通することのできる内径を有する円形の挿通孔２１ａを備えたリング形状になっており、挿通孔２１ａの径方向に対向する２か所の孔縁部から内方に突出された一対の係止突部２２ａ，２３ａ（図示せず）が設けられており、回り止め部材２０の周縁部に記銘板取付部５０が一体形成されている。記銘板取付部５０の基台５１には記名板配設用凹所５２が形成され、この凹所５２の対向する１組の側壁に記名板係止溝５４、５４が形成されている。また、凹所５２の底面部５３には記名板を前面側に押圧する押圧片５６、５６が形成されている。
【００２４】
記銘板６０は、記銘板取付部５０の凹所５２の一方の記銘板係止溝５４に一旦を挿入係止させ、少し湾曲させて他端を他方の記銘板係止溝５４に挿入して係止させて、凹所５２に設けられる。記銘板６０は、記銘板取付部５０の凹所５２の押圧片５６，５６に前面側におされれるとともに両端が係止片５５ａ、５５ｂに係止した状態になる。押圧片５６，５６は、弾性を有するため、記銘板の厚みの調整を行うことができる。つまり、記銘板の厚みの薄いものなら、前面側に位置し、厚いものなら、底面側に位置することにより記銘板の厚みの調整を行うことができる。
【００２５】
【発明の効果】
以上のように、本発明の操作スイッチの回り止め構造によれば、操作部本体の縦溝に嵌入する係止突部と取付パネルの切欠きに嵌入する係止突起とを備えた回り止め部材を、操作部本体のフランジ部と取付パネル表面側との間に介設する構成としたので、回り止め部材を予め取り付けた操作部本体を取付パネルの表面側から取付パネルの取付孔に挿入して操作部本体を回り止めでき、取付パネルの裏面からはロックナットを螺合して締結するだけでよいから、取付作業性が各段に向上する。また、ロックナットが緩んで係止突起が切欠きから抜脱しても、取付パネルの表面側において、操作部を背面側に押して係止突起を切欠きに嵌入することによって回り止め機能が即座に回復するので、応急的に捻回操作することが可能となり、機能面においても顕著な効果を得られる。さらに、回り止め部材の固定は、ロックナットのみに依存していなく、操作部を背面側に押し付けることにより機械的に回り止めが機能するので、部材の固定に関する機能を十分に得ることができる。
【００２６】
また、回り止め部材の周縁部に沿って形成した環状溝にシール部材を嵌合、インサート成形、貼着または塗布のいずれかの手段により一体的に設けるようにすれば、シール部材を容易に且つ確実に回り止め部材に一体化できる。さらに、シール部材を回り止め部材の両面に接合して周縁部に一体的に設けるようにすれば、回り止め部材とフランジ部との間に既存の防水パッキンを介設する必要がなくなり、その分だけ操作部の取付パネルからの取付高さを低くすることができる。しかし、防水パッキンを介設すれば、防水効果をより確実なものとすることができる。
【００２７】
また、回り止め部材の周縁部に記銘板取付部を一体形成しているため、記銘板を記銘板取付部に設けておくことにより、回り止め部材配設と同時に記銘板を配設することができ、また、記銘板取付部は、記銘板の入替えができるため、表示誤りにおける記銘板入替え作業が簡単に行うことができ、記銘板配設作業が向上するという効果を奏している。
【図面の簡単な説明】
【図１】本発明の一実施形態の回り止め構造を備えた操作スイッチの要部を切断して示した分解側面図である。
【図２】同上の回り止め構造の回り止め部材を示し、（ａ）は正面図、（ｂ）は側面図、（ｃ）は背面図である。
【図３】同上の回り止め構造の取付パネルの正面図である。
【図４】同上の操作スイッチの取付パネルへの取付状態の平面図である。
【図５】同上の回り止め構造の拡大縦断面図である。
【図６】本発明の他の実施形態に係る回り止め部材を示す切断側面図である。
【図７】本発明の他の実施形態に係る回り止め部材を示す斜視図である。
【図８】同上の回り止め部材に記銘板が配設された状態を示す斜視図である。
【図９】同上の回り止め部材に記銘板が配設された状態を示す断面図である。
【図１０】従来の回り止め構造を備えた操作スイッチの取付パネルへの取付状態の側面図である。
【符号の説明】
１  操作部本体
２  ネジ部
３  縦溝
４  フランジ部
７  取付パネル
８  取付孔
９  切欠き
１８  ロックナット
２０  回り止め部材
２１  挿通孔
２２，２３  係止突部
２４  係止突起
２７  環状溝
２８，２９  シール部材
５０  記銘板取付部
２０ａ  回り止め部材
２１ａ  挿通孔
２２ａ  係止突部
５２  記銘板用凹所
５３  底面部
５４  記銘板係止溝
５６  押圧片
【図１】
0003943627.tif 000002
【図２】
0003943627.tif 000003
【図３】
0003943627.tif 000004
【図４】
0003943627.tif 000005
【図５】
0003943627.tif 000006
【図６】
0003943627.tif 000007
【図７】
0003943627.tif 000008
【図８】
0003943627.tif 000009
【図９】
0003943627.tif 000010
【図１０】
0003943627.tif 000011